(57)【要約】【課題】電気的組立作業において不適切に力を加えることにより生じる上蓋の破損を回避できる、リチウム電池の上蓋を提供すること。【解決手段】外部電気的接続端子２１１を備え、貫通孔２１２が形成され、外部電気的接続端子２１１の端部が延伸されて内部電気的接続端子が形成された電極片２１と、外部電気的接続端子２１１の内面側に設置された強化片２２と、電極片２１の貫通孔２１２に挿通され、位置決め端２３１が強化片２２に連結された位置決めボルト２３と、上蓋体２４とを含み、電極片２１の一部が上蓋体２４に埋設されると共に、前記内部電気的接続端子がリチウム電池の本体内部に突出し、外部電気的接続端子２１１、強化片２２及び位置決めボルト２３の組み立て端が上蓋体２４の外部に露出している。【選択図】図２
0003185695.tif 000002
【実用新案登録請求の範囲】
【請求項１】
リチウム電池の本体の開口端に設置されるリチウム電池の上蓋であって、
外部電気的接続端子を備え、貫通孔が形成され、前記外部電気的接続端子の端部が延伸されて内部電気的接続端子が形成された電極片と、
前記外部電気的接続端子の内面側に設置された強化片と、
前記電極片の前記貫通孔に挿通され、位置決め端が前記強化片に連結された位置決めボルトと、
上蓋体を含み、前記電極片の一部が前記上蓋体に埋設されると共に、前記内部電気的接続端子が前記リチウム電池の本体内部に突出し、前記電極片の前記外部電気的接続端子、前記強化片及び前記位置決めボルトの組み立て端が、前記上蓋体の外部に露出されていることを特徴とする、リチウム電池の上蓋。
【請求項２】
前記強化片に、前記位置決めボルトを組み込むための雌ねじ孔が形成されたことを特徴とする、請求項１に記載のリチウム電池の上蓋。
【請求項３】
前記雌ねじ孔内及び前記位置決めボルト表面にねじ山が形成されたことを特徴とする、請求項２に記載のリチウム電池の上蓋。
【請求項４】
前記強化片に位置規制孔が形成され、前記上蓋体の一部が前記位置規制孔中に充填されていることを特徴とする、請求項２に記載のリチウム電池の上蓋。
【請求項５】
前記位置規制孔が、上が幅広で下が狭い漏斗状であることを特徴とする、請求項４に記載のリチウム電池の上蓋。
【請求項６】
前記強化片に位置規制孔が形成され、前記上蓋体の一部が前記位置規制孔中に充填されていることを特徴とする、請求項１に記載のリチウム電池の上蓋。
【請求項７】
前記位置規制孔が、上が幅広で下が狭い漏斗状であることを特徴とする、請求項６に記載のリチウム電池の上蓋。
【請求項８】
前記位置決めボルト表面にねじ山が形成されたことを特徴とする、請求項１に記載のリチウム電池の上蓋。
【請求項９】
前記電極片の前記外部電気的接続端子の外縁に沿ってフレーム体が設置され、該フレーム体が前記上蓋体に被覆されていることを特徴とする、請求項１に記載のリチウム電池の上蓋。
【考案の詳細な説明】
【技術分野】
【０００１】
本考案は、電極片の外部に突出した接続端部の下方に強化片を設置したリチウム電池の上蓋に関する。
【背景技術】
【０００２】
図１に示すように、従来のリチウム電池１の上蓋１０は、まず電極片１１と位置決めボルト１２を組み込んでから、強度を高めるためのフレーム１５を組み合わせ、上蓋１０全体を絶縁材質で成型(射出成型など)している。
電極片１１と位置決めボルト１２は上蓋１０により被覆され、位置決めボルト１２が上蓋１０の外面に露出された接続端子１２１を備えている。リチウム電池１を電気的に接続する際には、電気接続ワイヤ１３を位置決めボルト１２の接続端子１２１に設置してから、ナット１４と位置決めボルト１２で相互組み立てを完了し、位置決めボルト１２の導通により、電気接続ワイヤ１３の導電部１３１を電極片１１と電気的に接続させる。
【０００３】
このような構造では、位置決めボルト１２の位置決め端１２２の平面と、上蓋１０の表面の間の距離（厚さ）ｄは僅かであり、このため、操作者が電気的組み立て作業を行うとき、強い力を加えてうっかりナット１４を締めすぎてしまうと、位置決めボルト１２の位置決め端１２２が力を受けて牽引され、上に向かって引っ張られるため、上蓋１０が破損しやすい。また、このほかにも、ナット１４を締めすぎると、位置決めボルト１２が受けるトルクが過大になり、位置決め端１２２がそれに伴って旋回してしまうことがあり、このような場合もプラスチックの上蓋１０が破壊されてしまう。
【考案の概要】
【考案が解決しようとする課題】
【０００４】
本考案が解決しようとする課題は、構造的に優れ、電気的組立作業において不適切に力を加えることにより生じる上蓋の破損を回避できる、リチウム電池の上蓋を提供することにある。
【課題を解決するための手段】
【０００５】
本考案は、リチウム電池の本体の開口端に設置されるリチウム電池の上蓋に関し、外部電気的接続端子を備え、貫通孔が形成され、前記外部電気的接続端子の端部が延伸されて内部電気的接続端子が形成された電極片と、前記外部電気的接続端子の内面側に設置された強化片と、前記電極片の前記貫通孔に挿通され、位置決め端が前記強化片に連結された位置決めボルトと、上蓋体とを含み、前記電極片の一部が前記上蓋体に埋設されると共に、前記内部電気的接続端子が前記リチウム電池の本体内部に突出し、前記電極片の前記外部電気的接続端子、前記強化片及び前記位置決めボルトの組み立て端が、前記上蓋体の外部に露出されている。
【０００６】
前記強化片に、前記位置決めボルトの位置決め端を螺合するための雌ねじ孔を形成してもよい。
前記強化片に位置規制孔を形成し、前記上蓋体の一部を前記位置規制孔中に充填することが望ましい。
この場合、前記位置規制孔は、上が幅広で下が狭い漏斗状としてもよい。
前記電極片の前記外部電気的接続端子の外縁に沿ってフレーム体が設置され、該フレーム体が前記上蓋体に被覆されていることがある。
【考案の効果】
【０００７】
本考案は、電気的組み立て作業を行うとき、力を受ける位置を電極片の外部電気的接続端子と強化片の間の定点とすることができ、これにより、不適切な力を加えても、上蓋に影響することがなく、上蓋の破損を防ぐことができる。
【図面の簡単な説明】
【０００８】
【図１】従来のリチウム電池の上蓋構造の組み立てた状態を示す断面図である。
【図２】本考案の実施例を示すリチウム電池の上蓋の要部断面図である。
【図３】本考案の実施例に係る電極片、強化片及び位置決めボルトの分解斜視図である。
【図４】本考案の実施例を示すリチウム電池の上蓋の斜視図である。
【図５】本考案の実施例を示すリチウム電池の上蓋のワイヤ接続時における要部断面図である。
【図６】本考案の実施例を示すリチウム電池の上蓋の要部拡大断面図である。
【図７】本考案の別の実施例を示すリチウム電池の上蓋の要部拡大断面図である。
【考案を実施するための形態】
【０００９】
以下、本考案の実施例を図面に基づいて詳細に説明する。
図２に示すように、本考案のリチウム電池の上蓋２は、リチウム電池の本体の開口端に設置され、電極片２１、強化片２２、位置決めボルト２３、上蓋体２４から構成される。
図３に示すように、電極片２１は、上蓋体２４に埋設されており、門形に屈曲されると共に、上蓋体２４の外面から突出した外部電気的接続端子２１１を備える。外部電気的接続端子２１１の平面部には貫通孔２１２が形成されている。
また、外部電気的接続端子２１１の端部が延伸されて、電池内部に突出する内部電気的接続端子２１３が形成され、電池内部の電芯との電気的接続に用いられる。
【００１０】
強化片２２は、矩形の平板状部材であって、外部電気的接続端子２１１の内面に嵌合するよう設置される。また、強化片２２には１つまたは複数の位置規制孔２２２が形成されている。
位置決めボルト２３は、電極片２１の貫通孔２１２に挿通され、その内側の端部である位置決め端２３１は、強化片２２に例えばはんだ付けの形式で組み込まれる。あるいは強化片２２の平面にねじ山２２１１を備えた雌ねじ孔２２１を形成し、ねじ山２３３を設けた位置決めボルト２３を螺合し、かつ、組み立て後、はんだ付け作業で両者間を固定してもよい。
【００１１】
図４に示すように、上述の各構成部材を組み立てた後、絶縁性を有する成型材料を射出成型して上蓋体２４を形成し、この上蓋体２４により電極片２１の一部分、強化片２２及び位置決めボルト２３の一部分が被覆され、成型後、電極片２１の外部電気的接続端子２１１、及び位置決めボルト２３の組み立て端２３２が上蓋体２４から外部に露出される。
また、上蓋体２４の射出成型を行うと、一部の成型材料Ｐが位置規制孔２２２の中に充填されて、強化片２２が効果的に位置決めされ、これにより強化片２２が上蓋体２４成型後にずれを生じることはない(即ち、上蓋体２４の平面内において位置決めされる)。
【００１２】
また、上蓋体２４の全体強度を強化するため、電極片２１、強化片２２及び位置決めボルト２３の事前組み立てを完了した後、電極片２１の外部電気的接続端子２１１の外縁に沿って、フレーム体２５を設置してもよい。フレーム体２５は金属材質とするのが好ましい。ただし、フレーム体２５は、電極片２１及びその他構成部材と適切な距離をあけ、電気的接触を回避する必要がある。
フレーム体２５を設置した後、成型材料を射出成型して上蓋体２４を形成すると、フレーム体２５も上蓋体２４に被覆される。即ち、フレーム体２５の表面と外部電気的接続端子２１１、または位置決めボルト２３の組み立て端２３２は、同一平面上(即ち後に電気的組み立て作業を行う作業区域)に露出されない。これにより、電気的組み立て作業を行うとき、うっかりショートを発生する状況を効果的に防ぐことができる。
【００１３】
図５に示すように、電気的組み立てを行うときは、電気接続ワイヤ１３の導電部１３１を、位置決めボルト２３の組み立て端２３２に接近させて、電極片２１の外部電気的接続端子２１１の外面上に設置し、次いで、ナット１４と位置決めボルト２３の組み立て端２３２に締め込み、電気接続ワイヤ１３の導電部１３１をナット１４と外部電気的接続端子２１１で挟みこんで固定すると共に、導電部１３１と電極片２１の電気的接続を完了することができる。
【００１４】
また、操作者がナット１４を固定するときは、下方向(外部電気的接続端子２１１に接近する方向)に圧迫が生じ(図中の下方向矢印で示すとおり)、このとき、強化片２２が位置決めボルト２３と連結されていることにより、相対して上方向に圧迫する力(図中の上方向矢印で示すとおり)を形成する。
つまり、このとき発生する力を受ける受力点は２つの矢印の間となる。さらに、強化片２２そのものが同時に外部電気的接続端子２１１、及びナット１４の下圧する力を受けるため、強化片２２を上方向へ牽引する力が相殺される。
【００１５】
これにより、電気接続ワイヤ１３の導電部１３１を固定するという基本的効果を奏すると同時に、上蓋体２４が余分な上方向に牽引する力を受けて破壊されるのを防ぐことができる。即ち、本考案では、上蓋体２４が不適切な力を加えることにより破損するのを確実に回避することができる。
さらに、強化片２２は、矩形を呈し(方形または長方形のいずれも可)、外部電気的接続端子２１１の下方に設置されているため、少なくとも２辺が外部電気的接続端子２１１により位置規制され、このため、不適切な施力により生じる空転を防止することもでき、上蓋体２４の破壊を確実に防ぐ。
【００１６】
図６に示すように、強化片２２は、上蓋体２４に組み込んでも、上蓋体２４に被覆されない。その利点は、強化片２２と連結された位置決めボルト２３が力を受けて、間接的に強化片２２が上方向に牽引されても、直接上蓋体２４を破壊することがなく、さらに、前述のように、強化片２２を上方向に牽引する力が発生したとき、強化片２２が同時に外部電気的接続端子２１１とナット１４の下圧により位置規制され、上方向への牽引力が相殺されることにある。
【００１７】
図７に示すように、位置規制孔２２２は、上が幅広で下が狭い漏斗状(即ち孔径Ｄ１＞孔径Ｄ２)に形成してもよい。これにより、上蓋体２４の射出成型により位置規制孔２２２の中に充填される成型材料Ｐが、上蓋体２４の平面方向及び厚み方向の位置規制効果を奏し、強化片２２が平面方向と上下方向に位置規制される。
【００１８】
以上のように、本考案のリチウム電池の上蓋では、強化片を電極片の外部電気的接続端子に設置して力を受ける基礎面(点)を形成し、さらに強化片が上蓋体で被覆されないため、電気的組み立てを行うとき、力を受けても上蓋体を破壊することがなく、かつ外部電気的接続端子の下方への圧力を受けて、強化片に加わる可能性がある上方向へ牽引する力が相殺され、上蓋体を保護することができる。これにより、電気的組み立て作業の不適切な施力により発生する上蓋体の破損を排除できる、リチウム電池の上蓋を提供するという目的を確実に達することができる。
【００１９】
上述の説明は、本考案の最良の実施例に関するものであり、本考案の権利範囲を限定するものではない。当業者が本考案の要旨を逸脱せずに行った変更と修飾はすべて本考案の権利範囲内に含まれる。
【符号の説明】
【００２０】
１      リチウム電池
１０    上蓋
１１    電極片
１２    位置決めボルト
１３    電気接続ワイヤ
１２１  接続端子
１３１  導電部
１２２  位置決め端
１４    ナット
１５    フレーム
２      上蓋
２１    電極片
２２    強化片
２１’  電極片
２１１  外部電気的接続端子
２２１  雌ねじ孔
２１２  貫通孔
２２１１  ねじ山
２１３  内部電気的接続端子
２２２  位置規制孔
２３    位置決めボルト
２４    上蓋体
２３１  位置決め端
２３２  組み立て端
２３３  ねじ山
２５    フレーム体
ｄ      距離
Ｄ１    孔径
Ｄ２    孔径
Ｐ      成型材料
【図１】
0003185695.tif 000003
【図２】
0003185695.tif 000004
【図３】
0003185695.tif 000005
【図４】
0003185695.tif 000006
【図５】
0003185695.tif 000007
【図６】
0003185695.tif 000008
【図７】
0003185695.tif 000009